(57)【要約】【課題】  部品数を少なくするため、粘性の異なる内容液によって異なるインナーキャップのいずれにも使用できるオーバーキャップを提供すること。【解決手段】  容器と中栓、注出筒を具えたインナーキャップ、およびオーバーキャップとからなる液注出容器であって、オーバーキャップは、外径の異なる複数の栓筒を具備しており、前記栓筒により閉鎖される注出筒を具えた複数種のインナーキャップを使用可能としたことを特徴とする。【選択図】  図１
2006044676.tif 000002
【特許請求の範囲】
【請求項１】
容器と中栓、注出筒を具えたインナーキャップ、およびオーバーキャップとからなる液注出容器であって、
オーバーキャップは、外径の異なる複数の栓筒を具備しており、
前記栓筒により閉鎖される注出筒を具えた複数種のインナーキャップを使用可能としたことを特徴とする液注出容器。
【請求項２】
中栓が、外周にねじを螺設しており、
インナーキャップは、内周に中栓のねじに螺合するねじが螺設された外筒と、内周縁に円錐筒を連設した上壁と、円錐筒の上端中央に立設した注出筒とを具備しており、
注出筒の内径の異なる複数種のインナーキャップを使用可能としていることを特徴とする請求項１記載の液注出容器。
【発明の詳細な説明】
【技術分野】
【０００１】
本発明は、液注出容器、とくに粘性の異なる内容液毎のインナーキャップを具え、複数種のインナーキャップに適合するオーバーキャップを具備した液注出容器に関するものである。
【背景技術】
【０００２】
ソース等の粘性の高いものを収納する容器として、容器口部にノズル部材を立設し、注出にあたって、容器胴部を押圧することによって内容液をノズルの注出口から注出し、押圧を解いたときに容器胴部が復元し、ノズル部材内の内容液を容器内に吸引して、ノズル部材の注出口から外部に液垂れしないようにした液注出容器は、従来より知られている（特許文献１参照）。
【特許文献１】特開平１１−１３０１２３号公報
【発明の開示】
【発明が解決しようとする課題】
【０００３】
上記特許文献１記載の容器は、液体調味料の容器として使用されている。
しかし、粘性の高くない内容液の場合は、胴部を強く押圧して注出する必要がないので、上記特許文献１の従来例として記載されているような上端に液垂れを防ぐ注出口唇部を設けた大口径の注出筒を具えた容器が使用されていた。
【０００４】
したがって、液注出容器の注出筒として、粘性の異なる内容液に応じて、口径の異なる注出筒を使い分けることが望ましかった。
そのためには、容器と中栓、それぞれの注出筒を具えたインナーキャップと、注出筒を塞ぐ栓体を具えたオーバーキャップを必要とした。
容器と中栓は、共通のものを使用することができるが、注出筒を塞ぐ栓体の径が異なるので、粘性の異なる内容液毎にインナーキャップとともにオーバーキャップも異なり、部品数が多くなるという問題があった。
【０００５】
本発明は、上記問題を考慮して、部品数を少なくするため、粘性の異なる内容液によって異なるインナーキャップのいずれにも使用できるオーバーキャップを提供することを目的とする。
【課題を解決するための手段】
【０００６】
本発明は、上記の課題を解決するため、液注出容器として、容器と中栓、注出筒を具えたインナーキャップ、およびオーバーキャップとからなる液注出容器であって、オーバーキャップは、外径の異なる複数の栓筒を具備しており、前記栓筒により閉鎖される注出筒を具えた複数種のインナーキャップを使用可能としたことを特徴とする構成を採用する。
【０００７】
インナーキャップとして、中栓が、外周にねじを螺設しており、インナーキャップは、
内周に中栓のねじに螺合するねじが螺設された外筒と、内周縁に円錐筒を連設した上壁と、円錐筒の上端中央に立設した注出筒とを具備しており、注出筒の内径の異なる複数種のインナーキャップを使用可能としていることを特徴とする構成を採用する。
【発明の効果】
【０００８】
注出筒の内径の異なる複数種のインナーキャップを使用可能とし、オーバーキャップにいずれかの注出筒に係合する複数の栓筒を設けたから、容器、中栓、オーバーキャップの構成、形状を同一とすることができ、共通使用できる部品を多くすることができるので、生産コストを低く抑えることができた。
【発明を実施するための最良の形態】
【０００９】
次に、本発明の実施形態について、図面を参照して説明する。
図１、２において、Ａは容器、Ｂは中栓、Ｃはインナーキャップ、Ｄはオーバーキャップである。
容器Ａは、口筒部１と肩部２，胴部３と底部４とからなり、口筒部１の外周には、嵌合突条５とネックリング６が突設されている。
肩部２と胴部３の横断面形状は、角部を円弧とした角形となっており、肩部下方部２ａは、傾斜が大きくなっており、下端には、胴部３上端との間に段部７が設けられている。
【００１０】
中栓Ｂは、外筒１０と上壁１１、内筒１２とからなっており、外筒１０の外周にはねじ１３が螺設されており、内周下端には口筒部１の嵌合突条５に係合する嵌合突条１４が突設されている。
内筒１２は、口筒部１内周を密封する上半部１２ａと、下半部１２ｂとからなり、下半部１２ｂの所定位置には、隔壁１５が連設されており、その下方の下半部１２ｂ内周には、等間隔をおいて、複数のリブが突設されている。
【００１１】
隔壁１５には、切断溝１６が刻設され、その内側は、内容液の流出口を形成する除去部１７となっている。
除去部１７には、連結片を介して引張りリング１８が連設されている。
【００１２】
インナーキャップＣは、注出筒内径が小径である高粘性液用キャップＣ１と、注出筒内径を大径とした低粘性液用キャップＣ２の二種類のインナーキャップが用意される。
【００１３】
図２に示すように、高粘性液用キャップＣ１は、外筒２０と上壁２１、内筒２２とを具え、上壁２１の内周端縁から内方にゆるやかに傾斜する円錐筒２３が延設されている。
円錐筒２３の上端には、ノズル状の小径の注出筒２４が立設され、その上端は、注出口２５となっている。
外筒２０の内周には、中栓Ｂの外筒１０のねじ１３に螺合するねじ２６が螺設されている。
内筒２２は、中栓Ｂ内筒１２の内周面に嵌合し、容器Ａ内を密封する。
【００１４】
図３に示すように、低粘性液用キャップＣ２は、高粘性液用キャップＣ１と同一の外筒２０と上壁２１、内筒２２を具え、上壁２１の内周端縁から大きな角度をもって立ち上がり、傾斜する円錐筒２７と、円錐筒２７の上端に立設され、大径の注出筒２８とを具えており、注出筒２８の上端には、液垂れを防止するために、外方に湾曲する注出口唇部２９が設けられている。
【００１５】
図２、３に示すように、オーバーキャップＤは、角部を円弧とした頂壁３０と、該頂壁３０の周縁から垂設された側周壁３１とからなっている。
頂壁３０の中央部には、小径の栓筒３２と大径の栓筒３３が垂設されており、栓筒３２は、高粘性液用キャップＣ１の注出筒２４内周に、栓筒３３は、低粘性液用キャップＣ２の注出筒２８内周に嵌合し、それぞれの容器Ａ内部を密封する。
頂壁３０の栓筒３３の外側には、嵌着筒３４が垂設され、その下端には、容器口筒部１のネックリング６の下端に係合する嵌合突条３５が設けられている。
【００１６】
インナーキャップＣの外筒２０と、嵌着筒３４内周との間には間隙が設けられ、オーバーキャップＤの開閉にしたがって、インナーキャップＣが廻動しないようになっている。
【００１７】
嵌着筒３４を、容器口筒部１のネックリング６に嵌着するときには、側周壁３１の下端は、容器Ａの肩部下方部２ａに案内されて段部７に載置され、胴部３とほぼ面一となっている。
【００１８】
次に、本発明容器の使用態様と作用効果について説明する。
容器Ａ内には、内容液として、とんかつソース、中濃ソース、またはウスターソース等の液体調味料等が充填され、インナーキャップをセットした中栓Ｂが打栓される。
インナーキャップと中栓のセットにあたっては、中栓Ｂの内筒下半部１２Bのリブを利用し支持部材に廻動不能に支持され、内容液に応じて、高粘性液用キャップＣ１、低粘性液用キャップＣ２のいずれかが選択され中栓にねじ締めされる。
【００１９】
次いで、オーバーキャップＤの側周壁３１を、容器Ａの肩部下方部２ａに沿って下降させ、嵌着筒３４をネックリング６に嵌合させると、栓筒３２、または栓筒３３で対応する高粘性液用キャップＣ１、低粘性液用キャップＣ２の注出筒２４、または注出筒２８を密封することができる。
【００２０】
使用開始にあたっては、まず、オーバーキャップＤとインナーキャップＣを、容器Ａと中栓Ｂから取外し、引張りリング１８を引上げると、切断溝１６が切断され、除去部１７を取外して流出口を開口することができる。
次いで、インナーキャップＣを中栓Ｂ外筒１０にねじ締めし、オーバーキャップＤを被嵌すると、注出筒２４を密封することができる。
注出時には、オーバーキャップＤを取外すと、高粘性液用キャップＣ１の注出筒２４、または低粘性液用キャップＣ２の注出筒２８を開口することができる。
【００２１】
注出にあたって、内容液が高粘性の場合には、胴部３を押圧して注出する。
押圧を解くと、胴部３が復元して注出筒２４の内容液が容器Ａ内に吸引され、液垂れを防ぐことができ、注出後に容器Ａを正立させるだけで液垂れはなくなる。
内容液が低粘性の場合は、容器Ａを傾けることによって内容液を注出し、元に戻すことによって注出を止める。
注出筒２８が大径となり注出口唇部２９により、液垂れが阻止され、液切れをよくすることができる。  
【００２２】
液注出容器として、インナーキャップＣ以外は同一の構成、寸法を有するので、内容液の粘性に応じた高粘性液用キャップＣ１、低粘性液用キャップＣ２を用意しておけば、内容液の充填後に中栓Ｂを打栓し、所要のキャップをねじ締めしてオーバーキャップＤを被嵌しておけばよいので、容器Ａと中栓Ｂ、オーバーキャップＤは、充填する内容液の如何にかかわらず、同一のものが使用でき、インナーキャップＣのみ必要とする種類数を成形しておけばよい。
したがって、部品数を減らすことができ、生産コストを低く抑えることができる。
【００２３】
前記実施形態では、オーバーキャップＤの嵌着筒３４の下端に嵌合突条３５を設け、容器Ａのネックリング６に係合するようにし、オーバーキャップＤの廻動位置は、側周壁３１が肩部２の下段部に接合して、下端が段部７に載置されることによって位置決めされるが、嵌着筒３４の下端から位置決め部材を垂下させ、肩部の上段に位置決め凹部を設けるようにしてもよい。
【産業上の利用可能性】
【００２４】
オーバーキャップの栓筒として、径の異なる複数の栓筒を設けたことにより、粘性の異なる内容液に応じた注出筒を有するインナーキャップのいずれにも適用することができ、部品数を少なくし、生産コストを低く抑えることができた。
【図面の簡単な説明】
【００２５】
【図１】本発明小径の注出筒を具えた液注出容器の一部断面立面図である。
【図２】小径の注出筒を具えた液注出容器の要部の断面立面図である。
【図３】大径の注出筒を具えた液注出容器の要部の断面立面図である。
【符号の説明】
【００２６】
Ａ        容器
Ｂ        中栓
Ｃ        インナーキャップ
Ｃ１      高粘性液用キャップ
Ｃ２      低粘性液用キャップ
Ｄ        オーバーキャップ
１        口筒部
２        肩部
３        胴部
５        嵌合突条
６        ネックリング
７        段部
１０      外筒
１１      上壁
１３      ねじ
１４      嵌合突条
１５      隔壁
１８      引張りリング
２０      外筒
２１      上壁
２２      内筒
２３      円錐筒
２４      注出筒
２５      注出口
２７      円錐筒
２８      注出筒
２９      注出口唇部
３０      頂壁
３１      側周壁
３２、３３  栓筒
３４      嵌着筒
３５      嵌合突条
【図１】
2006044676.tif 000003
【図２】
2006044676.tif 000004
【図３】
2006044676.tif 000005